(57)【要約】  【課題】  居住空間をより快適に空調できる空気調和機の室内機を提供することを目的とする。  【解決手段】  筐体１の上下に開口部２、３を設け、両開口部２、３間に形成される中央部通風路４に送風機５と熱交換器６とを配設し、上部通風路９の前部に、フィルター７を備えた上部バイパス路８を設け、下部通風路１２の前部にフィルター１０を備えた下部バイパス路１１を設ける。又、上部通風路９に回動自在に支持された風路切替ダンパ１３を、下部通風路１２に回動自在に支持された風路切替ダンパ１４を夫々設ける。これにより、冷房運転時は上部の開口部２から冷気を吹出し、暖房運転時には下部の開口部３から暖気を吹き出す。【選択図】図２
2005315531.tif 000002
【特許請求の範囲】
【請求項１】
筐体上下部に開口部を設け、両開口部を繋ぐ通風路の中央に送風ファンと熱交換器とを配設し、前記通風路の上下部前方にフィルタを備えたバイパス路を夫々形成するとともに、運転モードに対応してこれらバイパス路を選択的に開閉する風路切換手段を備えてなり、冷房運転時には、前記風路切換手段により上部バイパス路を開放する一方、下部バイパス路を閉鎖することにより上部開口部より冷風を吹き出し、暖房運転時には、上部バイパス路を閉鎖する一方、下部バイパス路を開放することにより、下部開口部より暖風を吹き出してなることを特徴とする空気調和機。
【請求項２】
前記風路切換手段が、回動自在に支持されたダンパからなることを特徴とする請求項１に記載の空気調和機。
【発明の詳細な説明】
【技術分野】
【０００１】
本発明は空気調和機の室内機に係わり、詳しくは、室内の快適性をより良くするための構造に関する。
【背景技術】
【０００２】
空気調和機の室内機には、例えば図５に示すような床置型のものがある。この室内機では筐体１の下部前面に吸い込み口２、上部に吹き出し口３を設けているため冷気・暖気ともに上吹き出しとなり、冷房時の空調には適してしるが暖房時は室内下部が暖まり難く、快適性に問題があった。
【０００３】
上記の問題点を改善する床置型の室内機としては、例えば図６に示すようなものが公開されている。この室内機は筐体１の前面中央部に設けられた吸い込み口２と、この吸い込み口２を介して吸い込まれた室内空気を吸い込み口２より上方位置および下方位置からそれぞれ吹き出させる上部吹き出し口３および下部吹き出し口４と、吸い込み口２と上部吹き出し口３間の通風路に設けられた上部ファン９と、吸い込み口２と下部吹き出し口４間の通風路に設けられた下部ファン１０と、上部吹き出し口３と下部吹き出し口４からの風量比を可変できるように熱交換器６後方の通風路に設けられた仕切板１１と、この仕切板１１の仕切り位置を運転形態に対応して上下方向に可変する仕切り位置制御手段等で構成（例えば、特許文献１参照）されている。
【０００４】
したがって、冷房時は室内上部へより多くの冷気を送出することができ、暖房時は室内下部へより多くの暖気を送出できるが、上記構成では吸い込み口２と上部吹き出し口３および下部吹き出し口４がそれぞれ近接した位置関係にあるため吹き出し空気の一部が直ちに吸い込み口２から吸い込まれてしまい、熱交換率を低下させるという欠点を有するとともに、上部ファン９と下部ファン１０が必要であるためコスト上の問題も有する。
【０００５】
上記の欠点を解消する室内機としては例えば図７に示すようなダクト式（壁埋込型）のものがある。図において、（Ａ）は冷房時を、（Ｂ）は暖房時を示したもので、３は送風機１、熱交換器２、フィルタ８、風路切換ダンパ９および制御手段１２を備えた空調機本体、１０は室内１３側の壁面、１１ａは吹き出しと吸い込みに使える第１吹出吸込口、１１ｂは同じく吹き出しと吸い込みに使える第２吹出吸込口、７ａは空調機本体３と第１吹出吸込口１１ａ間に設けられた下側ダクト、７ｂは空調機本体３と第２吹出吸込口１１ｂ間に設けられた上側ダクトで、風路切換ダンパ９の切り換えにより冷房時は室内空気を下部の第１吹出吸込口１１ａから吸い込み、冷気を上部の第２吹出吸込口１１ｂから室内１３に送出し、暖房時は室内空気を上部の第２吹出吸込口１１ｂから吸い込み、暖気を下部の第１吹出吸込口１１ａから室内１３に送出するようにしたもの（例えば、特許文献２参照）がある。
【０００６】
このような構成による室内機であれば冷房時および暖房時の空調状態を良くすることができるものの、壁埋込型であるため設置工事に多大の費用と時間を要するだけでなく、フィルタ８の交換（清掃）が難しいという問題点を有する。
【０００７】
【特許文献１】特開平８ー１７８３３８号公報（第３頁、図１）
【特許文献２】特開平４ー２９７７３９号公報（第２頁、図１及び図２）
【発明の開示】
【発明が解決しようとする課題】
【０００８】
したがって、本発明においては従来技術における各問題点に鑑み、室内への設置が容易で、且つ、メンテナンスが容易であるとともに、冷房時と暖房時の快適性をより向上させた空気調和機の室内機を提供することを目的としている。
【課題を解決するための手段】
【０００９】
本発明は上記課題を解決するため、筐体上下部に開口部を設け、両開口部を繋ぐ通風路の中央に送風ファンと熱交換器とを配設し、前記通風路の上下部前方にフィルタを備えたバイパス路を夫々形成するとともに、運転モードに対応してこれらバイパス路を選択的に開閉する風路切換手段を備えてなり、冷房運転時には、前記風路切換手段により上部バイパス路を開放する一方、下部バイパス路を閉鎖することにより上部開口部より冷風を吹き出し、暖房運転時には、上部バイパス路を閉鎖する一方、下部バイパス路を開放することにより、下部開口部より暖風を吹き出す構成となっている。
【００１０】
また、前記風路切換手段が、回動自在に支持されたダンパからなる構成となっている。
【発明の効果】
【００１１】
本発明の構成によれば、床置型であるゆえ室内への設置及び移動が容易で、且つ、塵埃を除去するフィルタの交換が簡単に行えるとともに、冷房時は筐体上部の開口部から冷気が送出され、暖房時は筐体下部の開口部から暖気が送出されるので、冷房時、暖房時共に快適な空調状態が得られ、構造上、吹き出し空気が直ちに吸込口に吸い込まれるような現象も防止して熱交換率の良い室内機の提供を可能にしている。
【発明を実施するための最良の形態】
【００１２】
以下、本発明の実施の形態を、添付図面に基づいた実施例として詳細に説明する。
【実施例１】
【００１３】
図１は、本発明による空気調和機の室内機の外観を、図２は同室内機の内部構成及び動作を示したものである。図中の１は上部に開口部２を、下部に開口部３を設けた筐体で、図２で示すように、同開口部２と同開口部３間に形成される通風路を、上部通風路９と中央部通風路４と下部通風路１２とで形成するとともに、前記中央部通風路４に送風機５と熱交換器６とを配設し、前記上部通風路９の前部に、フィルタ７を備えた上部バイパス路８を形成する一方、前記下部通風路１２の前部にフィルタ１０を備えた下部バイパス路１１を形成している。又、前記上部通風路９には運転モードに対応して同上部通風路９を選択的に開閉する、一端を回動自在に支持された風路切替ダンパ１３が設けられ、前記下部通風路１２には、運転モードに対応して同下部通風路１２を選択的に開閉する、一端を回動自在に支持された風路切替ダンパ１４が設けられている。筐体１内の所定位置には送風機５および前記風路切替ダンパ１３及び１４を制御する制御部１５を設けた構成になっており、筐体１の前面にはフィルタ７およびフィルター１０の清掃や交換あるいは点検が容易に行えるように着脱可能なパネル１６、１７が設けられている。
【００１４】
上記構成において、冷房運転では、図２（Ａ）で示すように、前記上部通風路９に備えられた前記風路切替ダンパ１３を上方に回動させ、同上部通風路９を開放する一方、前記前記上部バイパス路８を閉鎖する。又、前記下部通風路１２に備えられた前記風路切替ダンパ１４を下方に回動させ、同下部通風路１２を閉鎖する一方、前記下部バイパス路１１を開放する。これにより、前記開口部３から吸込まれた室内の空気は、矢印で示すように、前記下部バイパス路１１に備えられたフィルター１０を通過することにより塵埃を除去され、続いて前記熱交換器６により冷却される。冷却された空気は開放された前記上部通風路９を介して、筐体１の上部に設けられた前記開口部２から室内に送出されるようになっている。
【００１５】
暖房運転では、図２（Ｂ）で示すように、前記上部通風路９に備えられた前記風路切替ダンパ１３を下方に回動させ、同上部通風路９を閉鎖する一方、前記前記上部バイパス路８を開放する。又、前記下部通風路１２に備えられた前記風路切替ダンパ１４を上方に回動させ、同下部通風路１２を開放する一方、前記下部バイパス路１１を閉鎖する。これにより、前記開口部２から吸込まれた室内の空気は、矢印で示すように、前記上部バイパス路８に備えられたフィルター７を通過することにより塵埃を除去され、続いて前記熱交換器６により加熱される。加熱された空気は開放された前記下部通風路１２を介して、筐体１の下部に設けられた前記開口部３から室内に送出されるようになっている。
【００１６】
冷房運転時には、冷却された空気が前記筐体１の上部から吹出され、暖房運転時には、加熱された空気が前記筐体１の下部から吹出されることにより、冷房運転では冷気が足元に直接当たるようなことがなく、又、暖房運転では下部から吹出される温風により足元から温めることができ、快適な空調状態が得られることになる。また、前記筐体１の前面に装着された前記パネル１６及び１７を抜脱することにより、前記フィルタ７及び１０の点検及び交換が容易に行えるようになっており、メンテナンス性を向上させることができるようになっている。又、前記開口部２及び前記開口部３が上下に離間して配置されていることにより、一方の開口部から吹出された空気が他方の開口部に直ちに吸い込まれる所謂ショートサーキットのような現象も防止できるようになっている。
【００１７】
前記送風ファン５は、プロペラファンあるいはクロスフローファンで構成することができるが、プロペラファンで構成した場合は、冷房運転と暖房運転とでは回転方向を逆にする必要がある。クロスフローファンを使用する場合はブレードが平坦な双方向性のクロスフローファンを使用すれば、回転方向は常に一体方向でよい。
【実施例２】
【００１８】
図３は第２の実施例を示したもので、前者との相違点は筐体１前面の凹凸を無くして開口部２、３間に形成される通風路の空気抵抗をより小さくしたことである。構成としては、第一実施例とほぼ同じで、開口部２、開口部３間に形成される中央部通風路４に、送風機５と熱交換器６とを配設し、上部通風路９の前部フィルタ７を備えた上部バイパス路８を設け、下部通風路１２の前部にフィルタ１０を備えた下部バイパス路１１を設けている。又、前記上部通風路９と前記上部バイパス路８との間に、回動自在に軸支された風路切替ダンパ１３を設け、前記下部通風路１２と前記下部バイパス路１１との間に、回動自在に軸支された風路切替ダンパ１４を設けている。又、筐体１の所定位置に送風機５および風路切替ダンパ１３、１４を制御する制御部１５を設けた構成になっており、同筐体１の前面にはフィルタ７及び１０の清掃や内部点検が容易に行えるよう着脱可能に設けられたパネル１６、１７、１８がある。
【００１９】
したがって、第一実施例で説明したように、前記風路切替ダンパ１３及び１４を相反するように切換えることにより、冷房運転時では空気の流れは実線で示す方向となり、暖房運転時には破線で示す方向となる。又、風路切替ダンパ１３及び１４が図３に示すような位置及び範囲で切り替わることにより、風路切替だけではなく通風案内板の役目も果たすので通風状態が良くなり、騒音の低下も期待できるようになっている。
【図面の簡単な説明】
【００２０】
【図１】本発明による室内機の第一実施例での外観斜視図である。
【図２】（Ａ）は冷房運転時の状態を示す断面図である。  （Ｂ）は暖房運転時の状態を示す断面図である。
【図３】本発明による室内機の第２の実施例を示す断面図である。
【図４】第一の従来例を示す室内機の外観斜視図である。
【図５】第二の従来例を示す室内機の概略構成斜視図である。
【図６】第三の従来例を示す室内機の断面図で、（Ａ）側は冷房時、（Ｂ）側は暖房時をそれぞれ示している。
【符号の説明】
【００２１】
１  筐体
２  開口部
３  開口部
４  中央部通風路
５  送風機
６  熱交換器
７  フィルタ
８  上部バイパス路
９  上部通風路
１０  フィルター
１１  下部バイパス路
１２  下部通風路
１３、１４  風路切替ダンパ
１５  制御部
１６、１７  パネル
【図１】
2005315531.tif 000003
【図２】
2005315531.tif 000004
【図３】
2005315531.tif 000005
【図４】
2005315531.tif 000006
【図５】
2005315531.tif 000007
【図６】
2005315531.tif 000008